(57)【特許請求の範囲】
【請求項１】
互いに相対回転する一方の部材と他方の部材との間に介装される廻り止めワッシャであって、
環状部と、
前記環状部上に、介装時、前記一方の部材に向かって突出して係合するよう、該環状部の軸方向一側に突出して形成された廻り止め部と、
前記環状部の軸方向他側に位置する被摺動面を延長した仮想面と、該環状部の軸方向一側に突出して形成された前記廻り止め部との間に形成された空間であって、一側が前記他方の部材と該環状部と該廻り止め部とによって囲まれて閉塞され、他側が前記該廻り止めワッシャの外部に設けられた潤滑油供給路と連通するよう開口する油溝と、
を有することを特徴とする廻り止めワッシャ。
【請求項２】
前記油溝が、前記環状部の径方向内周側で開口され且つ同外周側で閉塞されていることを特徴とする請求項１記載の廻り止めワッシャ。
【請求項３】
前記油溝が、前記環状部の内周側において、該環状部の中心軸に向かって拡開するよう開口していることを特徴とする請求項１記載の廻り止めワッシャ。
【請求項４】
前記廻り止め部が、前記廻り止めワッシャの軸方向に沿って延在すると共に互いに対向する一対の平面部を備え、該一対の平面部を介して該廻り止めワッシャが前記一方の部材に係合されて廻り止めされることを特徴とする請求項１記載の廻り止めワッシャ。
【請求項５】
前記環状部において、その外周側とその内周側に前記他方の部材との被摺動面が形成されたこと、
前記環状部において、前記外周側の摺動面と前記内周側の摺動面との径方向間に、前記油溝が形成されたこと、
を特徴とする請求項１記載の廻り止めワッシャ。
【請求項６】
前記油溝は、前記環状部の径方向外周側で開口され且つ同内周側で閉塞されていること、
前記油溝の、前記環状部の径方向に沿った長さが、該環状部の径方向長さの半分よりも短く形成されていること、
を特徴とする請求項１記載の廻り止めワッシャ。
【請求項７】
前記油溝は、前記環状部の径方向内周側で開口され且つ同外周側で閉塞されていること、
前記油溝の、前記環状部の径方向に沿った長さが、該環状部の径方向長さと同等に形成されていること、
を特徴とする請求項１記載の廻り止めワッシャ。
【請求項８】
前記油溝が、該油溝を前記一方の部材又は前記他方の部材の回転面に投影した面において前記環状部の径方向に対し傾斜した方向に延在するよう、形成されたことを特徴とする請求項１記載の廻り止めワッシャ。
【請求項９】
前記油溝が、該油溝を前記一方の部材又は前記他方の部材の回転面に投影した面において前記環状部の径方向に対し傾斜した方向に延在するよう、形成されたこと、
前記油溝が複数個、前記環状部の径方向に沿って、線対称に配置されたこと、
二対の互いに前記線対称な前記油溝の組を有すること、
を特徴とする請求項１記載の廻り止めワッシャ。
【請求項１０】
互いに相対回転する一方の部材と他方の部材との間に介装される廻り止めワッシャであって、
前記廻り止めワッシャの固定面側に、廻り止め部として用いられる凸部を設け、前記凸部の裏側に生成された凹部を油溝として用い、
該油溝の一側は、前記他方の部材と前記凸部の裏側によって囲まれて閉塞され、該油溝の他側は、前記該廻り止めワッシャの外部に設けられた潤滑油供給路と連通するよう開口する、ことを特徴とする廻り止めワッシャ。
【請求項１１】
互いに相対回転する一方の部材と他方の部材との間に介装される廻り止めワッシャであって、環状部と、前記環状部上に、介装時、前記一方の部材に向かって突出して係合するよう、該環状部の軸方向一側に突出して形成された廻り止め部と、前記環状部の軸方向他側に位置する被摺動面を延長した仮想面と、該環状部の軸方向一側に突出して形成された前記廻り止め部との間に形成され、前記環状部の軸方向他側に位置する被摺動面を延長した仮想面と、該環状部の軸方向一側に突出して形成された前記廻り止め部との間に形成された空間であって、一側が前記他方の部材と該環状部と該廻り止め部とによって囲まれて閉塞され、他側が開口する油溝と、を有する廻り止めワッシャと、
前記廻り止めワッシャの外部に、前記油溝の前記開口と常時連通するよう形成された潤滑油供給路と、
を含むことを特徴とする潤滑装置。
【発明の詳細な説明】
【０００１】
【発明の属する技術分野】
本発明は、廻り止めワッシャに関し、特に、潤滑構造を兼ね備えたワッシャ廻り止め構造に関し、中でも、相対回転を生じる摺動箇所に介装される廻り止めワッシャに関する。
【０００２】
【従来の技術】
従来、回転部材と固定部材の間、すなわち、摺動箇所に介装される廻り止めワッシャとして、下記のようなものが用いられている。
【０００３】
図１４（Ａ）及び図１４（Ｂ）はそれぞれ、第１の従来例に係る廻り止めワッシャの構造を説明するための正面図及び側断面図である。
【０００４】
図１４（Ａ）及び図１４（Ｂ）を参照すると、第１の従来例に係る廻り止めワッシャ１０１は平板な環状部１０１ａを有する。環状部１０１ａの被摺動面上（回転部材側）には多数の凹み１０２が形成されている。また、これらの凹み１０２とは別の箇所に、固定部材と係合する一個の爪１０３が形成されている。
【０００５】
図１５（Ａ）及び図１５（Ｂ）はそれぞれ、第２の従来例に係る廻り止めワッシャの構造を説明するための正面図及び側断面図である。
【０００６】
図１５（Ａ）及び図１５（Ｂ）を参照すると、第２の従来例に係る廻り止めワッシャ１１１は傘状の環状部１１１ａを有する。環状部１１１ａには多数の貫通油穴１１２が形成されている。また、環状部１１１ａの頂縁１１３が固定部材と係合する廻り止め部として機能する。
【０００７】
【発明が解決しようとする課題】
しかしながら、上記第１又は第２の従来例に係る廻り止めワッシャはいずれも、下記の第１及び第２の問題点を有している。
【０００８】
すなわち、図１４（Ａ）及び図１４（Ｂ）又は図１５（Ａ）及び図１５（Ｂ）を参照して、第１の問題点は、回転部材からワッシャに向かって押し付け力が作用した場合、特に、回転部材の摺動面とワッシャの被摺動面が密着した場合、凹み１０２又は貫通油穴１１２に溜まっていた潤滑油が消耗してしまうと、凹部１０２又は貫通油穴１１２に、これ以上、潤滑油を供給する道筋がないため、潤滑油切れによる焼付き等の支障が生じるおそれがある。
【０００９】
図１４（Ａ）及び図１４（Ｂ）又は図１５（Ａ）及び図１５（Ｂ）を参照して、第２の問題点は、潤滑構造（凹部１０２又は油穴１１２）と、廻り止め構造（爪１０３又は頂縁１１３）が、互いに別の工程において形成されるため、工数が多く且つ生産コストが高い、ということである。
【００１０】
また、特に、上記第２の従来例に係るワッシャは下記の第３の問題点を有している。
【００１１】
すなわち、図１５（Ａ）及び図１５（Ｂ）を参照して、第３の問題点は、中間製品である環状部材をプレス加工（打ち抜き加工）して、貫通油穴１１２を形成する際、製品側である環状部１１１ａにバリが発生し、このバリがワッシャ被摺動面側に出現しないようにするため、特別の製品表裏管理が必要であり、或いはバリ取り工程の追加が必要であり、この結果、生産コストが増大することである。
【００１２】
以上の事情に鑑み、本発明の目的は、摺動箇所における潤滑油切れを高度に防止することができ、これによって、例えば、回転部材の摺動面ないし廻り止めワッシャ被摺動面における焼付きが防止され、さらに製造に係る工数が少ない廻り止めワッシャ及びそれを用いた潤滑装置を提供することである。
【００１３】
【課題を解決するための手段】
上記目的を達成するため、本発明は、互いに相対回転する一方の部材と他方の部材との間に介装される廻り止めワッシャであって、環状部と、前記環状部上に、介装時、前記一方の部材に向かって突出して係合するよう、該環状部の軸方向一側に突出して形成された廻り止め部と、前記環状部の軸方向他側に位置する被摺動面を延長した仮想面と、該環状部の軸方向一側に突出して形成された前記廻り止め部との間に形成された空間であって、一側が前記他方の部材と該環状部と該廻り止め部とによって囲まれて閉塞され、他側が前記該廻り止めワッシャの外部に設けられた潤滑油供給路と連通するよう開口する油溝とを有することを特徴とする廻り止めワッシャを提供する。
【００１４】
この廻り止めワッシャは、以下の利点を有するものである：
（１）第１の利点は、一方の部材に向かって突出して該一方の部材に係合される廻り止め部の裏側（他方の部材側）に、一側が他方の部材と廻り止めワッシャによって閉塞されると共に他側が外部の潤滑油供給路に向って開口する油溝が形成されることにより、該他方の部材の摺動面とワッシャ被摺動面が密着した際も、該油溝と外部の潤滑油供給路との連通が閉ざされることなく、該油溝を通じて、他方の部材の摺動面とワッシャ被摺動面の間に潤滑油が供給され続ける、ということである。この結果、他方の部材の摺動面ないし廻り止めワッシャ被摺動面における焼付きが防止される；
（２）第２の利点は、一方の部材に向かって突出する廻り止め部を形成する際、同時に、油溝を形成することができる、すなわち、同一工程（例えば、同一プレス工程）で、廻り止め部と油溝を同時形成することができる、ということである。これによって、製造に係る工数が少なくされる。
【００１５】
【発明の実施の形態】
以下、本発明の好ましい実施の形態を説明する。
【００１６】
本発明の好ましい実施の形態においては、廻り止めワッシャの固定面側（一方の部材に廻り止めされる側）に凸部を設け、この凸部を一方の部材に廻り止め部として用いる。そして、この凸部の裏側に生成された凹部を油溝として用い、該油溝の一側は、前記廻り止めワッシャと前記他方の部材によって囲まれて閉塞され、該油溝の他側は、前記該廻り止めワッシャの外部に設けられた潤滑油供給路と連通するよう開口するよう形成する（この油溝が、潤滑油流入方向に対して常時開口するよう凸部を形成する）。
【００１７】
本発明の好ましい実施の形態においては、油溝が、廻り止めワッシャの環状部の径方向内周側で開口され且つ同外周側で閉塞される。この実施の形態によれば、廻り止めワッシャの被摺動面において、内周側に比べてより周速が高く、ゆえに焼き付き易い外周側に、潤滑油が供給され易くなる。また、この廻り止めワッシャは、環状部の径方向内周側から、潤滑油を供給するような装置に好適に適用される。
【００１８】
本発明の好ましい実施の形態においては、油溝が、廻り止めワッシャの環状部の内周側において、該環状部の中心軸に向かって拡開するよう開口される。この実施の形態によれば、油溝の潤滑油捕集能力が向上される。
【００１９】
本発明の好ましい実施の形態においては、廻り止め部が、廻り止めワッシャの軸方向に沿って延在すると共に互いに対向する一対の平面部を備え、この一対の平面部を介して該廻り止めワッシャが一方の部材に係合されて廻り止めされる。この実施の形態によれば、廻り止めワッシャの一方の部材に対する取付位置精度が向上される。
【００２０】
本発明の好ましい実施の形態においては、廻り止めワッシャ環状部において、その外周側及び内周側に他方の部材との被摺動面が形成される。この実施の形態によれば、油溝を挟んで二つの被摺動面を有するため、廻り止めワッシャが、一方の部材にしっかりと当たる。また、この廻り止めワッシャは、環状部の径方向中間部から、潤滑油を供給するような装置に好適に適用される。
【００２１】
本発明による廻り止めワッシャを、その環状部の径方向外周側から、潤滑油を供給するような装置に適用する場合、その油溝を、環状部の径方向外周側で開口し且つ同内周側で閉塞するよう形成し、一方、環状部の径方向内周側から、潤滑油を供給するような装置に適用する場合、その油溝を、その環状部の径方向内周側で開口し且つ同外周側で閉塞するよう形成すること、が好ましい。前者の場合、さらに好ましくは、潤滑油が遠心力を受けて飛散しないよう、油溝の、環状部の径方向に沿った長さを、環状部径方向長さに比べて十分に短く、特に半分よりも短く形成する。
【００２２】
本発明の好ましい実施の形態においては、その内周側が開口している油溝の環状部外周側（奥側）まで、回転部材に連れまわる潤滑油が、遠心力を受けて、可及的に早期に（回転始動時から直ぐに）、流入するよう、該油溝を下記のように形成する。すなわち、この油溝が、該油溝を一方の部材又は他方の部材の回転面に投影した面において廻り止めワッシャの環状部の径方向に対し傾斜した方向に延在するよう形成する（オフセットして配置する）。また、一方の部材と他方の部材間の相対回転方向が、基本的に、一方向である場合、上記のように配置された油溝を一組設け、この相対回転方向が、基本的に、両方向である場合、上記のように配置された油溝を二組設けることが好ましい。
【００２３】
本発明の好ましい実施の形態においては、油溝が、廻り止め部を加工することによって、廻り止め部と同時に形成される。
【００２４】
本発明による廻り止めワッシャ及びそれを用いた潤滑装置は、変速装置、差動装置等の相対回転による摺動箇所を有する装置に好適に適用される。
【００２５】
【実施例】
以上説明した本発明の好ましい実施の形態をさらに明確化するために、以下図面を参照して、本発明の一実施例を説明する。
【００２６】
［第１の実施例］
図１（Ａ）〜図１（Ｃ）は、本発明の第１の実施例に係る廻り止めワッシャの構造を説明するための図である。
【００２７】
図１（Ａ）〜図１（Ｃ）を参照すると、この廻り止めワッシャ１は環状部１ａを有している。環状部１ａの内周側には、環状部１ａ中心対称に二個の廻り止め部３，３が、環状部１ａの軸方向一側に向かって突出するよう形成されている。廻り止めワッシャ１の介装時、廻り止め部３，３はそれぞれ、一方の部材に向かって突出して、該一方の部材に係合される。
【００２８】
一方、環状部１ａの軸方向他側面（被摺動面）を延長した仮想面と、廻り止め部３，３との間（軸方向間）には、環状部１ａ内周面と廻り止め部３によって囲まれた空間がそれぞれ画成されている。これらの空間が油溝２，２となる。
【００２９】
なお、二個の廻り止め部３，３及び油溝２，２はそれぞれ、互いに基本的に同一の形状を有するから、以下、一個の廻り止め部３及び油溝２について説明する。
【００３０】
この油溝２は、環状部１ａの軸方向他側及び径方向内側に向かって開口している。油溝２は、他方の部材の摺動面と環状部１ａの軸方向他側面（被摺動面）が密着した際も、廻り止めワッシャ１の外部に設けられた潤滑油供給路と連通する。換言すれば、油溝２は、常に、外部の潤滑油供給路と連通する開口を有する。
【００３１】
次に、この第１の実施例に係る廻り止めワッシャ１を用いた潤滑装置の一例を説明する。ここでは、この廻り止めワッシャ１を変速装置に適用した例を説明する。
【００３２】
図２（Ａ）及び図２（Ｂ）は、図１に示した廻り止めワッシャを用いた潤滑装置の一例（変速装置への適用例）を説明するための図である。図３は、図２の要部拡大図である。
【００３３】
図２（Ａ）、図２（Ｂ）及び図３を参照すると、この変速装置においては、回転軸１２上にギヤ１１が嵌装されている。回転軸１２内には、第１の軸方向油路１２ａ、及び第１の軸方向油路１２ａに連通する複数の径方向油路１２ｂが形成されている。回転軸１２の外周面とギヤ１１の内周面との間には、針状ころ軸受１３が介装されている。針状ころ軸受１３が有する複数のころの間のスペース（針状ころ軸受の油路）１３ａは、径方向油路１２ｂと連通している。この変速装置のケーシング１０とギヤ１１との左右軸方向間には、図１に示した廻り止めワッシャ１，１が嵌装されている。
【００３４】
なお、これら二個の廻り止めワッシャ１，１及びそれに関連する潤滑構造は、互いに基本的に同一の構造を有するから、以下、一個の廻り止めワッシャ１及びそれに関連する潤滑構造について説明する。
【００３５】
この廻り止めワッシャ１の廻り止め部３は、固定部材であるケーシング１０に係合されている。環状部１ａの軸方向他側面（被摺動面）は、ギヤ１１の側面（回転部材の摺動面）と摺接している。そして、環状部１ａの軸方向他側面（被摺動面）を延長した仮想面と、廻り止め部３の裏側との軸方向間には、一側が、環状部１ａ及び廻り止め部３、さらに、ギヤ１１の側面によって囲まれて閉塞された油溝２が形成されている。
【００３６】
この油溝２の他側は、該油溝２が具備する環状部１ａの軸方向他側開口を介して、廻り止めワッシャ１外部に設けられた油路（外部の潤滑油供給路）、すなわち、上述のスペース（針状ころ軸受の油路）１３ａ及び径方向油路１２ｂと連通している。特に、この油溝２は、ギヤの側面（摺動面）と環状部１ａの軸方向他側面（被摺動面）が密着した際も、十分な溝深さを保持した状態で、上記外部油路と連通する。
【００３７】
以上説明した、本発明の第１の実施例に係る廻り止めワッシャ１、更に、それを用いた潤滑装置は、下記の利点を有する：
（１）ギヤ１１から廻り止めワッシャ１に向かって押し付け力が作用して、ギヤ１１の摺動面と廻り止めワッシャ１の被摺動面が密着した場合も、油溝２は外部の潤滑油供給路と、常に、連通されるため、ギヤ１１と廻り止めワッシャ１間の摺動箇所における油切れ、さらには、焼付き等の発生が防止される；
（２）廻り止めワッシャ１に廻り止め部３を形成することにより、油溝２も同時に生成されるため、製造工数が削減される。
【００３８】
［第２の実施例］
次に、本発明の第２の実施例について説明する。この第２の実施例に係る廻り止めワッシャは、潤滑油がワッシャ（環状部）内周側から外周側に向かって流れる箇所に好適に適用され、周速の高いワッシャ外周部に油溜めを形成することができる。図４（Ａ）〜図４（Ｃ）は、本発明の第２の実施例に係る廻り止めワッシャの構造を説明するための図である。なお、この廻り止めワッシャは、後述の図６に示す差動装置のピニオンワッシャ３１として、好適に用いることができる。
【００３９】
図４（Ａ）〜図４（Ｃ）を参照すると、この廻り止めワッシャ１は傘状（裁頭円錐面状）の環状部１ａを有している。環状部１ａの外周側には、環状部１ａの中心軸対称に二個の廻り止め部３，３が、環状部１ａの軸方向一側に向かって突出するよう形成されている。廻り止めワッシャ１の介装時、廻り止め部３，３はそれぞれ、一方の部材に向かって突出して、該一方の部材に係合される。
【００４０】
一方、環状部１ａの軸方向他側面（被摺動面）を延長した仮想面と、廻り止め部３，３裏側との間には、環状部１ａと廻り止め部３，３によって囲まれて閉塞される空間がそれぞれ形成されている。これらの空間が油溝２，２となる。
【００４１】
なお、二個の廻り止め部３，３及び油溝２，２はそれぞれ、互いに基本的に同一の形状を有するから、以下、一個の廻り止め部３及び油溝２について説明する。
【００４２】
この油溝２は、環状部１ａの軸方向他側及び径方向外側に向かって開口している。油溝２は、他方の部材の摺動面と環状部１ａの軸方向他側面（被摺動面）が密着した際も、廻り止めワッシャ１の外部に設けられた油供給路と連通する。換言すれば、油溝２は、外部の油供給路と常時連通する開口を有する。
【００４３】
［第３の実施例］
次に、本発明の第３の実施例について説明する。この第３の実施例に係る廻り止めワッシャは、潤滑油がワッシャ（環状部）内周側から外周側に向かって流れる箇所に好適に適用され、周速の高いワッシャ外周部に油溜めを形成することができる。図５（Ａ）及び図５（Ｂ）は、本発明の第３の実施例に係る廻り止めワッシャの構造を説明するための図であって、図５（Ａ）は平面図、図５（Ｂ）は図５（Ａ）の中心縦方向断面図である。なお、この廻り止めワッシャは、後述の図６に示す差動装置のサイドワッシャ４１として、好適に用いることができる。図５（Ａ）及び図５（Ｂ）を参照すると、第３の実施例に係る廻り止めワッシャ１は、傘状の環状部１ａを有する。環状部１ａの径方向外周部には、環状部１ａの中心軸対称に二個の廻り止め部３，３が形成されている。環状部１ａの軸方向他側面（被摺動面）を延長した仮想面と、廻り止め部３，３との間には、環状部１ａと廻り止め部３の裏側とによって囲まれた油溝２，２がそれぞれ形成されている。
【００４４】
また、特に、図５（Ｂ）を参照すると、油溝２，２においては、その内周側が開口され、その外周側が環状部（周縁部）１ａによって閉塞されている。これにより、この廻り止めワッシャ１は、環状部１ａ内周側から潤滑油が供給されるような箇所に、好適に適用される。
【００４５】
さらに、油溝２，２の長さＬ２を、図示のように十分に長くすること、例えば、環状部１ａの径方向長さとほぼ等しく形成することができる。これは、油溝２，２の内周側が開口し、外周側が閉塞されているからである。
【００４６】
ここで、前記第２及び前記第３の実施例に係る廻り止めワッシャを用いた潤滑装置の一例を説明する。ここでは、この廻り止めワッシャを差動装置（ディファレンシャル装置）に適用した例を説明する。
【００４７】
図６は、図４（Ａ）〜図４（Ｃ）に示したような廻り止めワッシャ１（以下、これを「ピニオンワッシャ３１」という）と、図５（Ａ）及び図５（Ｂ）に示したような廻り止めワッシャ１（以下、これを「サイドワッシャ４１」という）を用いた潤滑装置の一例（差動装置への適用例）を説明するための図である。図７は、図６の要部拡大図（右四半分拡大図）である。
【００４８】
図６及び図７を参照すると、この差動装置においては、変速装置からの駆動力が伝達されるリングギヤ２０が、ケーシング２１と一体化されている。ケーシング２１上には、センタピニオンシャフト２２が一体化されている。センタピニオンシャフト２２上には、一対のピニオン２２ａ，２２ｂが回転可能に支持されている。ケーシング２１の内部には、第１及び第２のシャフト２４，２５が回転可能に挿通されている。第１のシャフト２４上には、第１のサイドギヤ２３ａが一対のピニオン２２ａ，２２ｂと噛合するよう固定されている。第２のシャフト２５上には、第２のサイドギヤ２３ｂが一対のピニオン２２ａ，２２ｂと噛合するよう固定されている。ケーシング２１の内周面には、スパイラル状油路２１ａが形成されている。
【００４９】
特に、図７を参照して、スパイラル状油路２１ａは、第１のサイドギヤ２３ａ及び一方のピニオン２２ａと、ケーシング２１との間に形成された斜方向油路２６と連通している。
【００５０】
ケーシング２１と、一対のピニオン２２ａ，２２ｂの間には、図４（Ａ）〜図４（Ｃ）に示した構造を有するピニオンワッシャ３１，３１がそれぞれ介装されている。ケーシング２１と、第１及び第２サイドギヤ２３ａ，２３ｂとの間には、基本的に図５（Ａ）〜図５（Ｂ）に示した構造を有するサイドワッシャ４１，４１がそれぞれ介装されている。ピニオンワッシャ３１及びサイドワッシャ４１の廻り止め部３３，４３は、ケーシング２１に係合されている。そして、廻り止め部３３，４３と、一対のピニオン２２ａ，２２ｂ及び一対のサイドギヤ２３ａ，２３ｂとの間には、油溝３２，４２が形成されている。油溝３２，４２は、一側が一対のピニオン２２ａ，２２ｂ及び一対のサイドギヤ２３ａ，２３ｂと廻り止め部３３，４３とによってそれぞれ囲まれて閉塞され、他側が潤滑油流入方向（図７参照）に向かって開口している。すなわち、油溝３２，４２は、常に、外部の潤滑油供給路と連通している。
【００５１】
以上説明した、本発明の第２及び第３の実施例に係る廻り止めワッシャ、更に、それを用いた潤滑装置は、前記第１の実施例に記載した利点を少なくとも奏するものである。
【００５２】
［第４〜第９の実施例］
以下の第４〜第９の実施例に係る廻り止めワッシャに関しては、主として、前記実施例１ないし前記実施例３に係る廻り止めワッシャとの相違点について説明し、同様の点については、適宜、前記実施例１等の記載を参照することができるものとする。
【００５３】
［第４の実施例］
図８（Ａ）〜図８（Ｃ）を参照すると、第４の実施例に係る廻り止めワッシャ１において、環状部１ａの内周側には、環状部１ａの中心軸対称に二個の廻り止め部３，３が形成されている。廻り止め部３，３は、環状部１ａ内周側が幅広で環状部１ａ外周側が狭幅に形成されている（Ｗ１＞Ｗ２）。したがって、環状部１ａの軸方向他側面を延長した仮想面と、廻り止め部３，３裏側との間に形成された油溝２，２は、その入口幅Ｗ１がその奥幅Ｗ２に比べてそれぞれ幅広にされている。
【００５４】
なお、二個の廻り止め部３，３及び油溝２，２はそれぞれ、互いに基本的に同一の形状を有するから、以下、一個の廻り止め部３及び油溝２について説明する。
【００５５】
この油溝２においては、その外周側に油溜まりが形成されるよう、その内周側が開口され、該外周側が環状部１ａによって閉塞されている。これにより、環状部１ａの軸方向他側面、すなわち、被摺動面において、内周側に比べてより周速が高く、ゆえに焼き付き易い外周側に、潤滑油が供給され易くなる。
【００５６】
また、この廻り止めワッシャ１は、特に、環状部１ａ内周側から潤滑油が供給される（図８（Ｂ）参照）ような装置に、好適に適用される。なぜなら、油溝２は、環状部１ａ内周側から潤滑油が流入しやすく、環状部１ａ外周側から潤滑油が流出しにくい流路構造を有しているからである。さらに、この廻り止めワッシャ１においては、油溝２の入口が拡開されているため、潤滑油の供給量が少ない摺動箇所に、好適に採用されるものである。
【００５７】
［第５の実施例］
図９（Ａ）〜図９（Ｃ）を参照すると、第５の実施例に係る廻り止めワッシャ１において、環状部１ａには、環状部１ａの中心軸対称に二個の廻り止め部３が形成されている。環状部１ａの軸方向他側面を延長した仮想面と、廻り止め部３，３裏側との間には、環状部１ａと廻り止め部３，３とによって囲まれた油溝２，２がそれぞれ形成されている。油溝２，２は、その内周側が開口されその外周側が閉塞されている。
【００５８】
なお、二個の廻り止め部３，３及び油溝２，２はそれぞれ、互いに基本的に同一の形状を有するから、以下、一個の廻り止め部３及び油溝２について説明する。
【００５９】
この廻り止め部３は、環状部１ａ径方向に沿って、ほぼ同一の幅を有している。したがって、特に、図９（Ｂ）を参照すると、廻り止め部３は、環状部１ａの軸方向に沿って延在し且つ環状部１ａの径方向に沿って対向する一対の平面（ストレート面）３ａ，３ａを有している。この一対の平面３ａ，３ａによって、廻り止めワッシャ１の一方の部材に対する位置決め精度が向上される。
【００６０】
［第６の実施例］
図１０（Ａ）〜図１０（Ｃ）を参照すると、第６の実施例に係る廻り止めワッシャ１において、環状部１ａの径方向中間部には、環状部１ａの中心軸対称に二個の廻り止め部３，３が形成されている。環状部１ａの軸方向他側面を延長した仮想面４ｃ，４ｃと、廻り止め部３，３との間には、環状部１ａと廻り止め部３の裏側とによって囲まれた油溝２，２がそれぞれ形成されている。そして、油溝２，２は、環状部１ａの径方向中間部に形成されている。これによって、環状部１ａの軸方向一側面には、環状部１ａの周方向に連続する内周側及び外周側被摺動面４ａ，４ｂが形成されている。油溝２，２は、その内周側が開口されその外周側が閉塞されている。
【００６１】
この廻り止めワッシャ１は、二つの被摺動面、すなわち、内周側及び外周側被摺動面４ａ，４ｂを有するため、廻り止めワッシャ１が、一方の部材にしっかりと当たる。また、この廻り止めワッシャ１は、環状部１ａの径方向中間部に、油溝２を有するから、環状部１ａの径方向中間部、すなわち、被摺動面の径方向中間部から、潤滑油を供給するような装置に好適に適用される。
【００６２】
［第７の実施例］
この第７の実施例に係る廻り止めワッシャは、潤滑油がワッシャ（環状部）外周側から内周側に向かって流れる箇所に好適に適用され、周速の高いワッシャ外周部に油溜めを形成することができる（前記第３の実施例に係る廻り止めワッシャと対照のこと）。図１１（Ａ）及び図１１（Ｂ）を参照すると、第７の実施例に係る廻り止めワッシャ１は、傘状の環状部１ａを有する。環状部１ａの径方向外周部には、環状部１ａの中心軸対称に二個の廻り止め部３，３が形成されている。環状部１ａの軸方向他側面（被摺動面）を延長した仮想面と、廻り止め部３，３との間には、環状部１ａと廻り止め部３，３の裏側とによって囲まれて閉塞される油溝２，２がそれぞれ形成されている。油溝２，２の長さＬ１はそれぞれ、十分に短く、すなわち、環状部１ａの径方向幅の半分より短く形成されている。これによって、潤滑油に遠心力が作用した場合も、油溝２，２内に一旦流入した潤滑油が逆流しにくくされている。
【００６３】
また、特に、図１１（Ｂ）を参照すると、油溝２，２においてはそれぞれ、その内周側が環状部１ａによって閉塞され、その外周側が開口している。これにより、この廻り止めワッシャ１は、環状部１ａ外周側から潤滑油が供給されるような装置に、好適に適用される。
【００６４】
［第８の実施例］
図１２（Ａ）を参照して、第８の実施例に係る廻り止めワッシャ１において、環状部１ａの径方向外周部には、環状部１ａの径方向に対して線対称に配置された一対の廻り止め部３，３が形成されている。なお、環状部１ａは、図１２（Ｂ）に示すような傘状、或いは図１２（Ｃ）に示すような平板状に形成することができる。環状部１ａの軸方向他側面（被摺動面）を延長した仮想面と、一対の廻り止め部３，３との間には、環状部１ａと一対の廻り止め部３，３の裏側とによって囲まれて閉塞される油溝２，２がそれぞれ形成されている。油溝２，２は、それらの内周側が開口され、それらの外周側が閉塞されている。
【００６５】
特に、油溝２，２は、油溝２，２を一方の部材又は他方の部材の回転面（或いは、該廻り止めワッシャの回転面）に投影した面において、所定方向、詳細には、環状部１ａの半径方向に対し傾斜した方向に延在している（オフセットされている）。
【００６６】
そして、回転部品（一方の部材）の主たる回転方向（正方向）、ないし一方の部材と他方の部材間の主たる相対回転方向（正方向）と、油溝２，２の開口とが、図１２（Ａ）に示すような位置関係になるよう、廻り止めワッシャ１を介装することによって、遠心力を受けた潤滑油が、油溝２，２に流入し易くなる。
【００６７】
［第９の実施例］
前記第８の実施例に係る廻り止めワッシャ１は、一方の部材と他方の部材間の相対的な回転方向が、主として、一方向である場合に好適に適用されるが、以下に説明する第９の実施例に係る廻り止めワッシャ１は、主として、前記回転方向が両方向である場合に好適に適用される。
【００６８】
図１３（Ａ）を参照して、第９の実施例に係る廻り止めワッシャ１において、環状部１ａの径方向外周部には、環状部１ａの径方向に対して線対称に配置された二対の廻り止め部３，３が形成されている。なお、環状部１ａは、図１３（Ｂ）に示すような傘状、或いは図１３（Ｃ）に示すような平板状に形成することができる。環状部１ａの軸方向他側面（被摺動面）を延長した仮想面と、二対の廻り止め部３，３との間には、環状部１ａと二対の廻り止め部３，３の裏側とによって囲まれて閉塞される二対の油溝２，２がそれぞれ形成されている。二対の油溝２，２は、それらの内周側が開口され、それらの外周側が閉塞されている。
【００６９】
特に、各油溝２は、各油溝２を一方の部材又は他方の部材の回転面（或いは、該廻り止めワッシャの回転面）に投影した面において、所定方向、詳細には、環状部１ａの半径方向に対し傾斜した方向に延在している（オフセットした位置に配置されている）。そして、二対の油溝２，２は、その組同士が、線対称に配置されている。これによって、この廻り止めワッシャ１は、一方の部材と他方の部材間の相対的な回転方向が、両方向である場合に好適に適用される。詳細には、図１３（Ａ）を参照して、正方向回転時、同図中、左上と右下の油溝２，２に、遠心力を受けた潤滑油が主として流入し、一方、逆方向回転時、同図中、右上と左下の油溝２，２に、遠心力を受けた潤滑油が主として流入する。
【００７０】
【発明の効果】
本発明によれば、摺動箇所における潤滑油切れを高度に防止することができ、これによって、例えば、回転部材の摺動面ないし廻り止めワッシャ被摺動面における焼付きが防止され、さらに製造に係る工数が少ない廻り止めワッシャ、及びそれを用いた潤滑装置が提供される。
【図面の簡単な説明】
【図１】（Ａ）〜（Ｃ）は、本発明の第１の実施例に係る廻り止めワッシャの構造を説明するための図であって、（Ａ）は平面図、（Ｂ）は中心縦方向断面図、（Ｃ）は中心横方向断面図である。
【図２】（Ａ）及び（Ｂ）は、図１に示した廻り止めワッシャを用いた潤滑装置の一例（変速装置への適用例）を説明するための図であって、（Ａ）は軸方向断面図、（Ｂ）は（Ａ）のＢ−Ｂ断面図である。
【図３】図２の要部拡大図である。
【図４】（Ａ）〜（Ｃ）は、本発明の第２の実施例に係る廻り止めワッシャの構造を説明するための図であって、（Ａ）は平面図、（Ｂ）は中心縦方向断面図、（Ｃ）は中心横方向断面図である。
【図５】（Ａ）及び（Ｂ）は、本発明の第３の実施例に係る廻り止めワッシャの構造を説明するための図であって、（Ａ）は平面図、（Ｂ）は（Ａ）の中心縦方向断面図である。
【図６】図４及び図５に示した廻り止めワッシャを用いた潤滑装置の一例（差動装置への適用例）を説明するための軸方向断面図である。
【図７】図５の要部拡大図である。
【図８】（Ａ）〜（Ｃ）は、本発明の第４の実施例に係る廻り止めワッシャの構造を説明するための図であって、（Ａ）は平面図、（Ｂ）は中心縦方向断面図、（Ｃ）は中心横方向断面図である。
【図９】（Ａ）〜（Ｃ）は、本発明の第５の実施例に係る廻り止めワッシャの構造を説明するための図であって、（Ａ）は平面図、（Ｂ）は中心縦方向断面図、（Ｃ）は中心横方向断面図である。
【図１０】（Ａ）〜（Ｃ）は、本発明の第６の実施例に係る廻り止めワッシャの構造を説明するための図であって、（Ａ）は平面図、（Ｂ）は中心縦方向断面図、（Ｃ）は中心横方向断面図である。
【図１１】（Ａ）及び（Ｂ）は、本発明の第７の実施例に係る廻り止めワッシャの構造を説明するための図であって、（Ａ）は平面図、（Ｂ）は中心横方向断面図である。
【図１２】（Ａ）及び（Ｂ）は、本発明の第８の実施例に係る廻り止めワッシャの構造を説明するための図であって、（Ａ）は平面図、（Ｂ）は（Ａ）が傘状である場合の中心縦方向断面図、（Ｃ）は（Ａ）が平板状である場合の中心縦方向断面図である。
【図１３】（Ａ）〜（Ｃ）は、本発明の第９の実施例に係る廻り止めワッシャの構造を説明するための図であって、（Ａ）は平面図、（Ｂ）は（Ａ）が傘状である場合の中心縦方向断面図、（Ｃ）は（Ａ）が平板状である場合の中心縦方向断面図である。
【図１４】（Ａ）及び（Ｂ）は、第１の従来例に係る廻り止めワッシャの構造を説明するための図であって、（Ａ）は平面図、（Ｂ）は中心縦方向断面図である。
【図１５】（Ａ）及び（Ｂ）は、第２の従来例に係る廻り止めワッシャの構造を説明するための図であって、（Ａ）は平面図、（Ｂ）は中心横方向断面図である。
【符号の説明】
１  廻り止めワッシャ
１ａ  環状部
２  油溝
３  廻り止め部
３ａ，３ａ  一対の廻り止め部の軸方向に沿った平面（ストレート面）
４ａ，４ｂ  内周側及び外周側被摺動面
４ｃ  被摺動面を延長した仮想面
１０  ケーシング（トランスミッションケース）
１１  ギヤ
１２  回転軸
１２ａ  第１の軸方向油路
１２ｂ  径方向油路
１３  第２の軸方向油路（外部に設けられた潤滑油供給油路）
２０  リングギヤ
２１  ケーシング（デフケース）
２２  センタピニオンシャフト
２２ａ，２２ｂ  一対のピニオン
２３ａ，２３ｂ  第１及び第２のサイドギヤ
２４  第１のシャフト
２４ａ  スパイラル状油路
２５  第２のシャフト
２５ａ  スパイラル状油路
３１  ピニオンワッシャ（廻り止めワッシャ）
３１ａ  環状部
３２  油溝
３３  廻り止め部
４１  サイドワッシャ（廻り止めワッシャ）
４１ａ  環状部
４２  油溝
４３  廻り止め部
Ｌ１  油溝の軸長（短い）
Ｌ２  油溝の軸長（長い）
【図１】
0004482219.tif 000002
【図２】
0004482219.tif 000003
【図３】
0004482219.tif 000004
【図４】
0004482219.tif 000005
【図５】
0004482219.tif 000006
【図６】
0004482219.tif 000007
【図７】
0004482219.tif 000008
【図８】
0004482219.tif 000009
【図９】
0004482219.tif 000010
【図１０】
0004482219.tif 000011
【図１１】
0004482219.tif 000012
【図１２】
0004482219.tif 000013
【図１３】
0004482219.tif 000014
【図１４】
0004482219.tif 000015
【図１５】
0004482219.tif 000016